(57)【特許請求の範囲】
【請求項１】
消火栓の差込み開口に着脱自在に設けられる受け口部と、この受け口部と主管の下端とを連結する連結部材と、この主管に接続したホース接続口を備えたエルボとで構成した消火栓用のスタンドパイプにおいて、
前記連結部材には、前記主管の下部外周面に形成した外螺子部に、螺嵌される内螺子部を備えた筒部を形成するとともに、この筒部の内螺子部の上部から延設したサポート部を形成し、このサポート部は、前記主管の外螺子部の上部外周面に被嵌される構成とした消火栓用のスタンドパイプ。
【請求項２】
消火栓の差込み開口に着脱自在に設けられる受け口部と、この受け口部と主管の下端とを連結する連結部材と、この主管に接続したホース接続口を備えたエルボとで構成した消火栓用のスタンドパイプにおいて、
前記連結部材には、前記主管の下部外周面に形成した外螺子部に、螺嵌される内螺子部を備えた筒部が形成されるとともに、この筒部、及びこの主管には、下端筒部、及びこの下端筒部から延設し本体筒部とでなるサポートリングを設け、この下端筒部が、前記筒部の外側に被嵌されるとともに、この本体筒部が、前記主管の外螺子部の上部外周面に被嵌される構成とした消火栓用のスタンドパイプ。
【請求項３】
前記受け口部を、前記消火栓の差込み開口に被嵌するととともに、この受け口部の開口には、出没自在の係止め爪を設け、この係止め爪を、前記差込み開口の係止溝に係脱自在とし、この係脱を、前記主管の外周面に添設した操作棒、及び外周面に設けたハンドルで操作可能とする構成とした請求項１、又は２に記載の消火栓用のスタンドパイプ。
【請求項４】
前記受け口部の開口周面と、消火栓の差込み口の外周面との接触面に、Ｏリング、又はゴムリングでなる緩衝材を介在する構成とした請求項１、２のいずれか一項に記載の消火栓用のスタンドパイプ。
【発明の詳細な説明】
【技術分野】
【０００１】
本発明は、路面下に設けられた地下式消火栓、又は、消防車等に備えた消火栓等の差込み口、又は、空気弁に接続させるスタンドパイプの接続構造に関し、名称としては、スタンドパイプとする。
【背景技術】
【０００２】
地下式消火栓は、消防用ホースを接続して消火活動に使用したり、又は、配管内に溜まってくる空気を除去するための放水に使用したり、緊急時には応急給水の機材の一つとしても使用される。その際に使用されるのが、スタンドパイプである。この消火栓の差込み口と、スタンドパイプの係止め爪係止部より先側に差し込み部品を全周に担って囲繞する枠体を設け、スタンドパイプの外れ防止と、併せて安全性を確保する発明がある（特許文献１）。また、スタンドパイプの係止め爪を、係止部（係止溝）より外し、差込み口よりワンタッチで取外す、即ち、片手で引上げレバーの操作で、取外す発明（特許文献２）等がある。
【０００３】
【特許文献１】特開２０１２−２５５３０９号公報
【特許文献２】特開２０００−３２８６１２号公報
【発明の概要】
【発明が解決しようとする課題】
【０００４】
スタンドパイプは持ち運びを考慮し、主管（パイプ）や受け口部の材料にはアルミニウム部品、係止め爪には青銅鋳物等が使用され、軽量化が図られている。主管は、螺子込んだ（螺子込み被嵌した）後に、ビスや接着剤で固定されているため、使用中に曲げ力やウォーターハンマー現象等が作用すると、螺子の切上がりや、主管と受け口部の接続部において、破断する事故、又は主管が飛散する甚大な事故が発生した。
【０００５】
例えば、図６と、図６−１〜図６−３に示した、スタンドパイプと地下式消火栓を接続する構造がある。通常、町野式と呼ばれているカップリング式の継手である。その概要は、消火栓差し口部の円周係止溝内へ、嵌入かつ弾性突出した係止め爪（後述する、スタンドパイプの連結部材に設けた係止め爪）の突出による係止力で、前記スタンドパイプは、消火栓に固定されている。しかし、この構造では、図６−２に示した状態となる蓋然性がある。その原因は、例えば、消火栓に取付けたスタンドパイプが、平面視して、前後左右に揺すられた時、又は揺れた時、その他ウォーターハンマー現象等において、その振れ幅が大きくなると、往々にして、主管のねじの切上がり部に亀裂が入り、ここから破断して消火栓から外れてスタンドパイプが飛散することがあった。また、図６−３は、受け口部に亀裂が発生した危険な状態であり、前述と同様に振れ幅が大きくなることで発生する蓋然性があり、問題である。
【０００６】
また、図７に示した、文献１では、前記構造の改良点を備えている。構造のポイントは、枠体（公報では枠体２）の増設であるが、この枠体の消火栓差し込み部品において、円滑な作動を確保するため１〜２ｍｍの隙間を設けざるを得なかった。このような隙間があるため、従来に比し、振れ幅は少なくなったが、しかし、曲げ強度実験（別送の資料「曲げ強度実験報告書」の抜粋頁参照）の結果では、強度の向上は、必ずしも、十分とは考えられない。また、枠体は上下に移動できるため、最上端に上がったままの状態では、振れ幅をほとんど規制する効果が発揮できない場合が考えられる。
【０００７】
その他として、例えば、係止め爪は、青銅鋳物で製造されているため、曲げ力が作用すると変形し易く、また、強度的に、劣ることが指摘されている。また、スタンドパイプを、何回も繰り返し着脱すると、係止め爪の爪部が擦り減り、円周係止溝から外れることが指摘され、かつ最悪では、スタンドパイプが外れて路上に飛び出すなどの事故もあった。
【課題を解決するための手段】
【０００８】
上記に鑑み、本発明は、請求項１−５を開示し、下記の改良１−４を提案する。
【０００９】
改良１として、「主管と受け口部の接続部に、例えば、主管外径の１０％以上５０％未満の長さを有する、環状筒部（サポート体、サポートリング等）を設けることにより、主管の外螺子部（螺子込み部）の全体、又は先端部等の螺子谷部の脆弱部に作用する曲げ応力の応力集中を緩和する。」
改良２として、「係止め爪と受け口部端面との間にOリングを挿入し、これを差し込み部品と係合することにより、横揺れを規制する。」例えば、文献１に対して、Ｏリング、ゴムリング等でなる緩衝材で固定するので、横揺れが少なくなっている。
【００１０】
改良３として、「係止め爪、又はカバーの材質をステンレス鋼にすることにより、割れ、変形、摩耗を防止する。」
【発明の効果】
【００１１】
請求項１の発明は、消火栓の差込み開口に着脱自在に設けられる受け口部と、受け口部と主管の下端とを連結する連結部材と、主管に接続したホース接続口を備えたエルボとで構成した消火栓用のスタンドパイプにおいて、
連結部材には、主管の下部外周面に形成した外螺子部に、螺嵌される内螺子部を備えた筒部を形成するとともに、筒部の内螺子部の上部から延設したサポート部を形成し、サポート部は、主管の外螺子部の上部外周面に被嵌される消火栓用のスタンドパイプであり、主管の外螺子部（螺子込み部）の全体、又は先端部等の螺子谷部の脆弱部（肉薄箇所）に作用する曲げ応力の応力集中を緩和できる。また、スタンドパイプの外れ防止と、スタンドパイプの路上等への飛び出し防止等に有効である。即ち、安全性が確保される。また、この請求項１の目的達成に、最も、有効なサポート部の構造を提案する。
【００１３】
請求項２の発明は、消火栓の差込み開口に着脱自在に設けられる受け口部と、受け口部と主管の下端とを連結する連結部材と、主管に接続したホース接続口を備えたエルボとで構成した消火栓用のスタンドパイプにおいて、
連結部材には、主管の下部外周面に形成した外螺子部に、螺嵌される内螺子部を備えた筒部が形成されるとともに、筒部、及び主管には、下端筒部、及び下端筒部から延設し本体筒部とでなるサポートリングを設け、下端筒部が、筒部の外側に被嵌されるとともに、本体筒部が、主管の外螺子部の上部外周面に被嵌される消火栓用のスタンドパイプであり、請求項１の目的達成に、簡略的で、かつ従来のスタンドパイプを有効利用できる構造を提案する。
【００１４】
請求項３の発明は、受け口部を、消火栓の差込み開口に被嵌するととともに、受け口部の開口には、出没自在の係止め爪を設け、係止め爪を、差込み開口の係止溝に係脱自在とし、係脱を、主管の外周面に添設した操作棒、及び外周面に設けたハンドルで操作可能とする消火栓用のスタンドパイプであり、請求項１の目的達成に、簡略的で、かつ主管（）と受け口部、及び操作棒とハンドルの構造を提案する。
【００１５】
請求項４の発明は、受け口部の開口周面と、消火栓の差込み口の外周面との接触面に、Ｏリング、又はゴムリングでなる緩衝材を介在する構成とした消火栓用のスタンドパイプであり、請求項１、２の目的達成に、最も、有効な連結部材の構造を提案する。
【図面の簡単な説明】
【００１６】
【図１】本発明のスタンドパイプであり、一部を欠截して示した全体正面図
【図２】環状筒部の第１実施例（サポート部）を示した要部の拡大断面図
【図３】環状筒部の第２実施例（サポートリング）を示した要部の拡大断面図
【図４】第１実施例の他の実施例を示した要部の拡大断面図
【図５】第１実施例の別の実施例を示した要部の拡大断面図
【図６】従来のスタンドパイプであり、一部を欠截して示した全体正面図
【図６−１】図６−１は、従来のスタンドパイプの要部の拡大断面図
【図６−２】図６−２は、従来のスタンドパイプに亀裂が入り、主管が、受け口部等より破断される状態の例を示した拡大断面図
【図６−３】図６−３は、従来のスタンドパイプの、例えば、受け口部のカバーが亀裂状態の例を示した拡大断面図
【図７】文献１の一部図面であり、従来のスタンドパイプの要部の拡大断面図
【発明を実施するための形態】
【００１７】
以下、本発明の好ましい、各実施例を説明する。各実施例に共通する、基本構造を説明すると、１は主管（スタンドパイプ本体）で、２は主管１に接続されるエルボ（スタンドパイプ副管）である。主管１の下端１−１（上下方向は、原則として、スタンドパイプを、消火栓に設置した状態で説明するが、一例である）の外周面１ａに設けた外螺子部１００には、連結部材３（中子部材、スリーブ、又はブッシュ部材）の上方の筒部３ａに設けた内螺子部３００が螺合されて、主管１と連結部材３とが一体となる。尚、筒部３ａは、主管１の下端１−１の外周面１ａに被嵌される。また、連結部材３の下方の環状をなす本体部３ｂ（段付きベース部）の上部と、前記筒部３ａの下部とが、主管１の下端１−１のフランジ１０１を囲み、かつ本体部３ｂの下部（後述する裾野部３ｂ１）が、下端１−１の下側に延設された構造である。この連結部材３の本体部３ｂの外周面には、後述する消火栓の係止溝が挿設される開口５００を有する受け口部５が設けられている。受け口部５の凹部５０１には、スプリング（図示しない）を備えた複数個の係止め爪６と、この係止め爪６が収められる爪座７と、係止め爪６の移動（解除方向への後退）を司る複数個のカム８とが収容されている。尚、爪座７の天板外周面と受け口部５の内周面との間には、連結部材３の本体部３ｂの裾野部３ｂ１が差込み支持されている。
【００１８】
図中１０はリング形状の押え環（菊座）で、連結部材３の段付部３ｃの上部に載架されるとともに、主管１の外周面１ａに昇降自在に設けられる。そして、この押え環１０とカム８とは、複数本の連結軸１１を介して連繋されている。また、この押え環１０には、数本の操作棒１２の一端が支持されており、この操作棒１２の他端は、主管１の上部の外周面１ａに遊嵌した操作環１３に支持されている。操作環１３にはハンドル１３００が放射方向に設けられている。
【００１９】
図中１５は消火栓であり、図示しないが、係止溝を備えている。尚、図示しないが、消火栓１５と同じ構造の試験用、又は研究用の消火栓、或いは空気弁に接続して使用するスタンドパイプも同じ構造である。
【００２０】
次に、本発明のポイントの一つ（第１実施例）を説明すると、図２の如く、連結部材３の筒部３ａを延長した環状筒部であり、即ち、環状のサポート部２０を形成する。一例として、筒部３ａの自由端から延長し（内螺子部を基点として延長し）、この延長の長さを、スタンドパイプの直径（外径）を基準として、その略１０％以上５０％未満の長さ（立上り）を有する形状とする。このサポート部２０は、主管１の外周面１ａの一部外周面（下部外周面）１ａ１に被嵌される。このサポート部２０を介して、主管１の螺子込み部に作用する曲げ応力の応力集中力を緩和できる特徴がある。尚、外周面１ａと、サポート部２０の内周面との間に、隙間が生じた場合には、必要により、弾性を有する樹脂を充填する。連結部材３に主管１を取付けるが、その方法は、従来と同じであり、割愛する。本発明では、スタンドパイプの振れ幅は少なくなり、かつ振れ幅を規制できる効果がある。また、本発明は、水道管に残る空気の炸裂による振動、弁の締切り時に発生するウォーターハンマー、放水による水の反動力等さまざまな力が作用するが、これらより発生する障碍を、軽減できる。
【００２１】
また、本発明のポイントの他の一つ（第２実施例）を説明すると、図３の如く、連結部材３の筒部３ａを囲繞し、かつ筒部３ａから上部に到る環状筒部であり、即ち、環状のサポートリング２１を形成する。一例として、筒部３ａの上部を囲繞する下端筒部２１ａ（重なり部）と、この下端筒部２１ａに繋がる（内螺子部を基点として繋がる）本体筒部２１ｂを形成する。この本体筒部２１ｂの長さを、スタンドパイプの直径（外径）を基準として、その略１０％以上５０％未満の長さ（立上り）を有する形状とする。このサポートリング２１の本体筒部２１ｂは、主管１の外周面１ａの一部外周面（下部外周面）１ａ１に被嵌され、かつ下端筒部２１ａは、連結部材３の筒部３ａに被嵌される。このサポートリング２１を介して、主管１の螺子込み部に作用する曲げ応力の応力集中力を緩和できる特徴がある。また、このサポートリング２１は、従来のスタンドパイプに採用でき、重宝する。その他は、前述の第１実施例に準ずる。尚、このサポートリング２１は、連結部材３の筒部３ａに、取付ける。その後は、連結部材３に主管１を取付けるが、その方法は、従来と同じであり、割愛する。
【００２２】
前記係止め爪６・カム８等と操作環１３・ハンドル１３００との関連と動き（消火栓とスタンドパイプの係脱）を説明すると、ハンドル１３００を支持し、ハンドル１３００、操作環１３、及び押え環１０を引上げる。この引上げにより、連結軸１１を介してカム８を引上げる。このカム８の引上げで、係止め爪６に対するカム８の規制が解除される。規制解除により、係止め爪６がスプリング（図示しない）の反力で戻り（爪座７の放射方向に戻り）、係止め爪６が、消火栓１５の係止溝１５０１より離脱する。この離脱で、スタンドパイプと消火栓１５との係止（嵌合い）関係が解除され、スタンドパイプがフリーとなる。
【００２３】
また、スタンドパイプを、消火栓１５に係止（嵌合）するには、スタンドパイプを支持し、受け口部５を、消火栓１５に被嵌すると、受け口部５の開口５００が差込み開口１５００に被嵌されるとともに、受け口部５に突出している係止め爪６を、差込み開口１５００が、押込むとともに、この差込み開口１５００が、受け口部５と爪座７の開口に接触する。そして、差込み開口１５００が、受け口部５と爪座７の開口を乗越えた暁には、係止め爪６が、スプリングの反力で復帰し、係止溝１５０１に係止されて、スタンドパイプの主管１が、消火栓１５にセット（取付けられる）される構造である。この取付け時には、係止め爪６・カム８等と操作環１３・ハンドル１３００の動きは、原則としてない。図中１５０２は、消火栓１５の開口先端にある係止鍔である。
【００２４】
その他の本発明のポイントのその他の一つ（第１実施例の他の）を説明すると、図４の如く、受け口部５の開口５００の周面５００ａと、消火栓１５の差込み開口１５００の外周面１５００ａとの接触面に、Ｏリング、ゴムリング等のシール性と弾性を備えた緩衝材１８を介在する構成であり、例えば、スタンドパイプ、主管１、及び／又は受け口部５等の横揺れ防止と、剛性向上等に有益である。
【００２５】
さらに、本発明のポイントの別の一つ（第１実施例の別の）を説明すると、図５に示した、強度の強い、ステンレス鋼の環状カバー１６で、受け口部５の外周面５ｂをカバーする構造である。受け口部５、及び／又は、カバー１６をステンレス鋼にすることにより、割れ、変形、摩耗を防止する。同様に、係止め爪６をステンレス鋼にすることにより、割れ、変形、摩耗を防止する。
【００２６】
図中１７は把手である。
【００２７】
以上で説明した各実施例は、好ましい一例を示したものであり、同様な効果と特徴を有する他の構造、手段は、本発明の範疇である。
【符号の説明】
【００２８】
１  主管
１ａ  外周面
１ａ１  一部外周面（下部外周面）
１−１  下端
１００  外螺子部
１０１  フランジ
２  エルボ
３  連結部材
３ａ  筒部
３ｂ  本体部
３ｂ１  裾野部
３ｃ  段付部
３００  内螺子部
５  受け口部
５ｂ  外周面
５００  開口
５００ａ  周面
５０１  凹部
６  係止め爪
７  爪座
８  カム
１０  押え環
１１  連結軸
１２  操作棒
１３  操作環
１３００  ハンドル
１５  消火栓
１５００  差込み開口
１５００ａ  外周面
１５０１  係止溝
１５０２  係止鍔
１６  カバー
１７  把手
１８  緩衝材
２０  サポート部
２１  サポートリング
２１ａ  下端筒部
２１ｂ  本体筒部
【要約】
【課題】  消火栓等に接続するスタンドパイプは、水道管に残る空気の炸裂による振動、弁の締切り時に発生するウォーターハンマー、放水による水の反動力等さまざまな力が作用し、主管と受け口部の部分から主管が破断する、係止め爪が外れて飛び出す等の事故があった。
【解決手段】  受け口部を備えた主管と、ホース接続口を備えたエルボとで構成した消火栓用のスタンドパイプで、受け口部に設けてなる連結部材の筒部には、主管の外周面を抱持する環状筒部を形成し、環状筒部は、内螺子を備えた連結部材の筒部より延設する構成、又は連結部材の筒部に繋がるように抱持する構成とした消火栓用のスタンドパイプである。主管の外螺子部に作用する曲げ応力の応力集中を緩和できる。安全性が確保される。
【選択図】      図１【図１】
0005707597.tif 000002
【図２】
0005707597.tif 000003
【図３】
0005707597.tif 000004
【図４】
0005707597.tif 000005
【図５】
0005707597.tif 000006
【図６】
0005707597.tif 000007
【図６−１】
0005707597.tif 000008
【図６−２】
0005707597.tif 000009
【図６−３】
0005707597.tif 000010
【図７】
0005707597.tif 000011